(57)【特許請求の範囲】
【請求項１】
撮像装置と、前記撮像装置の設定を行う情報処理装置とで構成される画像再生システムにおいて、
前記撮像装置として、
静止画像又は動画像を撮像する撮像部と、
前記撮像部により得た画像データが記録される画像データ記録手段と、
オーディオデータが記録されるオーディオデータ記録手段と、
前記オーディオデータ記録手段に記録されるオーディオデータに関する設定情報として、少なくとも、前記撮像装置で復号化が可能なオーディオデータの符号化フォーマットの種類を示す情報と、前記撮像装置で再生可能なオーディオデータの１曲あたりの容量または再生時間を示す情報とが記録される設定情報記録手段と、
画像データ記録手段に記憶された画像データを表示させる表示部と、
オーディオデータ記録手段に記憶されたオーディオデータを出力させるオーディオ出力部と、
前記表示部での画像データの所定の表示を行う際に、予め設定された内容に基づいて、前記オーディオデータを選択して前記オーディオ出力部から出力させる制御部とを備え、
前記情報処理装置として、
前記撮像装置の設定情報記録手段に記憶された前記オーディオデータに関する設定情報を取得して識別する識別部と、
オーディオデータを記録するオーディオデータ記録部と、
前記識別部で識別した前記オーディオデータに関する設定情報に基づいて、前記オーディオデータ記録部に記録されたオーディオデータを、前記撮像装置で復号化が可能な符号化フォーマットおよび前記撮像装置で再生可能なデータサイズを有するデータに変換して前記撮像装置に送り、前記オーディオデータ記録手段に変換されたオーディオデータを記録させるオーディオデータ処理部とを備えた
画像再生システム。
【請求項２】
請求項１記載の画像再生システムにおいて、
前記撮像装置の表示部での画像データの所定の表示は、前記撮像部が撮像して前記画像データ記録手段に記憶された複数の静止画像を順に表示させるスライドショー表示であり、そのスライドショー表示の際に前記オーディオ出力部がバックグラウンドミュージックとしてオーディオを出力させる
画像再生システム。
【請求項３】
請求項１または２記載の画像再生システムにおいて、
前記情報処理装置のオーディオデータ処理部でのオーディオデータのデータサイズの変換は、オーディオデータの先頭から所定の一定時間再生される区間だけのデータとする処理である
画像再生システム。
【請求項４】
請求項１乃至３のいずれかに記載の画像再生システムにおいて、
前記撮像装置の前記設定情報記録手段に記憶された前記オーディオデータに関する設定情報は、更に、前記撮像装置でオーディオデータを再生する際に適したビットレートを示す情報を含み、
前記情報処理装置のオーディオデータ処理部は、前記オーディオデータに関する設定情報に基づいて、更に、前記オーディオデータ記録部に記録されたオーディオデータを、前記撮像装置に記憶させるのに適したビットレートのデータに変換する
画像再生システム。
【請求項５】
請求項１乃至４のいずれかに記載の画像再生システムにおいて、
前記情報処理装置は、前記識別部で識別した結果を所定箇所に表示処理させる表示処理部を更に備え、
前記情報処理装置の識別部は、前記撮像装置のオーディオデータ記憶手段に記憶可能なオーディオデータの数と、前記オーディオデータ記憶手段に記憶されたオーディオデータの数を識別し、前記表示処理部はその識別結果をＧＵＩ画像として表示させる
画像再生システム。
【請求項６】
請求項１乃至５のいずれかに記載の画像再生システムにおいて、
前記情報処理装置のオーディオデータ処理部は、所定の操作に基づいて、前記撮像装置のオーディオデータ記憶手段に記憶されたオーディオデータを、初期状態のオーディオデータに復元可能とした
画像再生システム。
【請求項７】
静止画像又は動画像を撮像する撮像部と、
前記撮像部により得た画像データが記録される画像データ記録手段と、
オーディオデータが記録されるオーディオデータ記録手段と、
前記オーディオデータ記録手段に記録されるオーディオデータに関する設定情報として、少なくとも、前記撮像装置で復号化が可能なオーディオデータの符号化フォーマットの種類を示す情報と、前記撮像装置で再生可能なオーディオデータの１曲あたりの容量または再生時間を示す情報とが記録される設定情報記録手段と、
画像データ記録手段に記憶された画像データを表示させる表示部と、
オーディオデータ記録手段に記憶されたオーディオデータを出力させるオーディオ出力部と、
前記表示部での画像データの所定の表示を行う際に、予め設定された内容に基づいて、前記オーディオデータを選択して前記オーディオ出力部から出力させる制御部とを備えた
撮像装置。
【請求項８】
請求項７記載の撮像装置において、
前記表示部での画像データの所定の表示は、前記撮像部が撮像して前記画像データ記録手段に記憶された複数の静止画像を順に表示させるスライドショー表示であり、そのスライドショー表示の際に前記オーディオ出力部がバックグラウンドミュージックとしてオーディオを出力させる
撮像装置。
【請求項９】
請求項７または８記載の撮像装置において、
前記設定情報記録手段に記憶された前記オーディオデータに関する設定情報として、更に、前記撮像装置でオーディオデータを再生する際に適したビットレートを示す情報を含む
撮像装置。
【請求項１０】
撮像装置の設定を行う情報処理装置において、
前記撮像装置の所定の記憶部に記憶された、少なくとも、前記撮像装置で復号化が可能なオーディオデータの符号化フォーマットの種類を示す情報と、前記撮像装置で再生可能なオーディオデータの１曲あたりの容量または再生時間を示す情報とを含む、オーディオデータに関する設定情報を識別する識別部と、
オーディオデータを記録するオーディオデータ記録部と、
前記識別部で識別した前記オーディオデータに関する設定情報に基づいて、前記オーディオデータ記録部に記録されたオーディオデータを、前記撮像装置で復号化が可能な符号化フォーマットおよび前記撮像装置で再生可能なデータサイズを有するデータに変換して前記撮像装置に送り、前記撮像装置の所定の記憶部に変換されたオーディオデータを記録させるオーディオデータ処理部とを備えたことを特徴とする
情報処理装置。
【請求項１１】
請求項１０記載の情報処理装置において、
前記オーディオデータ処理部でのオーディオデータのデータサイズの変換は、オーディオデータの先頭から所定の一定時間再生される区間だけのデータとする処理である
情報処理装置。
【請求項１２】
請求項１０または１１に記載の情報処理装置において、
前記撮像装置の所定の記憶部に記憶された前記オーディオデータに関する設定情報は、更に、前記撮像装置でオーディオデータを再生する際に適したビットレートを示す情報を含み、
前記オーディオデータ処理部は、前記オーディオデータに関する設定情報に基づいて、更に、前記オーディオデータ記録部に記録されたオーディオデータを、前記撮像装置に記憶させるのに適したビットレートのデータに変換する
情報処理装置。
【請求項１３】
請求項１０乃至１２のいずれかに記載の情報処理装置において、
前記識別部で識別した結果を所定箇所に表示処理させる表示処理部を更に備え、
前記識別部は、取得した前記オーディオデータに関する設定情報に基づいて、前記撮像装置の所定の記憶部に記憶可能なオーディオデータの数と、前記所定の記憶部に記憶されたオーディオデータの数を識別し、前記表示処理部はその識別結果をＧＵＩ画像として表示させる
情報処理装置。
【請求項１４】
請求項１０乃至１３のいずれかに記載の情報処理装置において、
前記情報処理装置のオーディオデータ処理部は、所定の操作に基づいて、前記撮像装置の所定の記憶部に記憶されたオーディオデータを、初期状態のオーディオデータに復元可能とした
情報処理装置。
【発明の詳細な説明】
【技術分野】
【０００１】
本発明は、画像再生システム、撮像装置及び情報処理装置に関し、特にデジタルカメラと称される撮像装置で、蓄積された画像を再生させる場合の処理に適用して好適な技術に関する。
【背景技術】
【０００２】
デジタルカメラと称されるカメラ装置は、撮影した静止画像又は動画像を、装置に装着されたメモリカードなどに記憶させて、その記憶された静止画像（又は動画像）を、カメラ装置が備える比較的小型のディスプレイに表示させて、ユーザが撮影画像を確認できるようにしてある。例えば、スライドショー再生と称される再生機能を備えて、ディスプレイに撮影して蓄積された静止画像を順に数秒ずつ再生させるようなことが行われている。
【０００３】
従来のカメラ装置のような画像再生機能を備えた装置でのスライドショー再生時には、単に画像が次々表示されるだけであり、より高度な処理ができるようにすることが望まれていた。例えば、スライドショー再生時に、装置に内蔵されたスピーカから、バックグラウンドミュージック（ＢＧＭ）が出力されるようにすることで、画像再生を効果的に行うことができる。
【０００４】
ＢＧＭを出力させるためには、カメラ装置内にオーディオデータを蓄積させる必要がある。そのオーディオデータとして、ユーザが任意の楽曲などを蓄積させるためには、いわゆるポータブル型のオーディオ再生装置に内蔵されたメモリなどに、外部からオーディオデータをダウンロードさせる技術を適用することが考えられる。
【０００５】
特許文献１には、オーディオ再生装置にダウンロードしたオーディオを蓄積させて、その蓄積したオーディオデータを再生させるコンテンツ管理処理例についての開示がある。
【特許文献１】特開２００５−５６２８９号公報
【発明の開示】
【発明が解決しようとする課題】
【０００６】
特許文献１に記載のように、従来から、パーソナルコンピュータ装置などの情報処理装置を再生装置に接続して、情報処理装置でインターネットなどを介して取得したオーディオデータを、オーディオ再生装置にダウンロードさせる技術については、各種開発されている。ところが、従来からある技術は、コンピュータ装置側で、オーディオ再生装置内のメモリ内に用意されたオーディオデータファイルに、オーディオデータを転送させて、その転送されたオーディオデータをオーディオ再生装置で再生させるものであり、オーディオ再生装置側で、高度なオーディオ再生処理が行えることが前提であった。
【０００７】
従って、例えば、上述したデジタルカメラでのスライドショー再生に使用する程度のオーディオ再生機能に、従来のポータブルオーディオ再生装置の技術をそのまま適用すると、デジタルカメラそのものが高度なオーディオ再生処理機能を必要とすることになり、好ましくない。また、メモリ容量が限られたデジタルカメラの内部メモリに、オーディオデータを何の制限もなく記憶できるようにすると、それだけカメラ装置として画像をメモリに記憶できる容量が少なくなり、好ましくない。また、ポータブルオーディオ再生装置の場合には、オーディオ再生を行うことが目的の機器であるため、再生曲の選択などのオーディオ再生用の各種操作が再生装置で行える構成としてあるが、デジタルカメラでのスライドショー再生に使用する程度でのオーディオ再生のために、オーディオ再生操作用の煩雑な操作機能を装置に内蔵させるのは好ましくない。
【０００８】
なお、ここまでの説明では、デジタルカメラでのスライドショー再生を例にして説明したが、同様な比較的小型の端末で画像再生を行う際に、オーディオ再生を行うことを考えた場合には、同様な問題がある。また、デジタルカメラの如き端末にオーディオデータを転送させる際の問題については、比較的機能が限られた端末に、各種データを転送させる際の問題として存在する。
【０００９】
本発明はかかる点に鑑みてなされたものであり、画像再生機能を利用して画像再生などを行う際にオーディオ再生を同時に行うための、オーディオデータのやり取りが良好にできるようにすることを目的とする。
【課題を解決するための手段】
【００１０】
本発明は、撮像装置として、静止画像又は動画像を撮像する撮像部と、撮像部により得た画像データが記録される画像データ記録手段と、オーディオデータが記録されるオーディオデータ記録手段と、オーディオデータ記録手段に記録されるオーディオデータに関する設定情報として、少なくとも、撮像装置で復号化が可能なオーディオデータの符号化フォーマットの種類を示す情報と、撮像装置で再生可能なオーディオデータの１曲あたりの容量または再生時間を示す情報とが記録される設定情報記録手段と、画像データ記録手段に記憶された画像データを表示させる表示部と、オーディオデータ記録手段に記憶されたオーディオデータを出力させるオーディオ出力部と、表示部での画像データの所定の表示を行う際に、予め設定された内容に基づいて、オーディオデータを選択してオーディオ出力部から出力させる制御部とを備えたものである。また、この撮像装置の設定を行う情報処理装置として、撮像装置の設定情報記録手段に記憶されたオーディオデータに関する設定情報を取得して識別する識別部と、オーディオデータを記録するオーディオデータ記録部と、識別部で識別したオーディオデータに関する設定情報に基づいて、オーディオデータ記録部に記録されたオーディオデータを、撮像装置で復号化が可能な符号化フォーマットおよび撮像装置で再生可能なデータサイズを有するデータに変換して撮像装置に送り、オーディオデータ記録手段に変換されたオーディオデータを記録させるオーディオデータ処理部とを備えたものである。
【００１１】
このようにしたことで、撮像装置に画像データを表示させる際に、同時に用意されたオーディオデータを出力させることができると共に、そのオーディオデータを、情報処理装置からの指示で、別のオーディオデータに置換えることができるようになる。その置換え時には、撮像装置が扱えるフォーマット及びサイズのデータとされた上で、書き込まれるようになる。
【発明の効果】
【００１２】
本発明によると、撮像装置に画像データを表示させる際に、同時に用意されたオーディオデータを出力させることができると共に、そのオーディオデータを、別の装置からの指示で、別のオーディオデータに置換えることができ、その置換え時には、撮像装置に接続されたコンピュータ装置などの外部の装置での処理で、撮像装置が扱えるフォーマット及びサイズのデータとされた上で書き込まれるため、ユーザが撮像装置に適したフォーマットやビットレートの設定等の煩雑な作業を行うこと無しに、オーディオデータを記録することができる。また、撮像装置の負担を最小限に抑えた上で、必要最小限のオーディオデータを用意できるようになる。
【発明を実施するための最良の形態】
【００１３】
以下、本発明の一実施の形態を、添付図面を参照して説明する。
【００１４】
本例においては、静止画像の撮影及び動画像の撮影を行うデジタルカメラ装置と、そのデジタルカメラ装置に接続されるパーソナルコンピュータ装置とで構成されるシステムとしてある。まず、図１を参照してこれらの装置の構成について説明する。
【００１５】
デジタルカメラ装置１００は、レンズなどの光学系１０１を介して撮像素子であるＣＣＤイメージャ１０２に結像した像光を、電気的な撮像信号として取り出し、その撮像信号を撮像処理部１０３に供給して、画像データとする。撮像処理部１０３が出力する画像データは、データ処理部１０４に供給して、各フレームの画像データを、所定のフォーマットの画像データとする処理や、動画像データの場合の圧縮処理等の各種データ処理が行われる。
【００１６】
そして、本例のデジタルカメラ装置１００は、ステック状などの所定の形状をしたメモリカード１１５を着脱自在に装着でき、またメモリカード１１５とは別に内蔵メモリ１１４を備える。内蔵メモリ１１４とメモリカード１１５は、不揮発性のメモリである。データ処理部１０４が出力する画像データは、制御部１１１の制御により、メモリカード１１５又は内蔵メモリ１１４に記憶させることができる。撮影時には、デジタルカメラ装置１００本体に取り付けられた液晶表示パネルなどで構成される表示部１１２に、画像データが供給されて、表示処理される。内蔵メモリ１１４及びメモリカード１１５に記憶された撮影済みの画像データについても、操作キーやタッチパネルなどで構成される操作部１１３の操作で、表示部１１２に表示させることができる。
【００１７】
撮影済みの画像データの表示としては、キー操作などで表示させる画像を１枚ずつ指示して行う表示モードの他に、メモリに記憶された複数の静止画像を、数秒ずつ順に表示させるスライドショー表示モードを用意してある。このスライドショー表示モード時には、バックグラウンドミュージック（ＢＧＭ）の出力（再生）を行うようにしてある。ＢＧＭ出力のための処理の詳細については後述する。
【００１８】
また、本例のデジタルカメラ装置１００は、マイクロフォン１２１を備え、マイクロフォン１２１が拾って出力する音声信号を、音声入力処理部１１２で所定のフォーマットの音声データ（オーディオデータ）とし、その音声データを、メモリカード１１５又は内蔵メモリ１１４に記憶させることができる。メモリ１１４又は１１５への音声データの記憶についても制御部１１１の制御で実行される。音声入力処理部１１２で符号化される音声データについては、例えばＭＰＥＧ（Moving Picture Experts Group）１方式のレイヤ２のデータに符号化する。この音声データの記憶を行うか否かは、撮影を行うモード設定により決まる。音声データの記憶は、主として動画像の撮影を行って記憶させる際に実行されるが、静止画像の撮影を行う際に、数秒程度の音声を記憶させるモードを用意してもよい。これらの動画像又は静止画像の撮影に伴って得た音声データは、画像データに付随するデータとして、後述する画像データファイルに記憶される。
【００１９】
そして、音声データが付随した画像データをメモリ１１４又は１１５から読み出して、表示部１１２に表示させる際には、その付随した音声データを、音声再生処理部１２３に供給して、再生用の復調処理やアナログ変換処理を行い、接続されたスピーカ１２４から出力させる。
【００２０】
また、本例のデジタルカメラ装置１００は、外部インターフェイス部１１６が内部バスを介して各回路と接続してあり、外部機器を接続できる構成としてある。外部インターフェイス部１１６としては、例えばＵＳＢ（Universal Serial Bus）規格のシリアルバスが接続できるポートを備え、コンピュータ装置などとの接続が可能である。外部インターフェイス部１１６を介してコンピュータ装置などの外部機器と接続した場合には、外部機器側が内部メモリ１１４やメモリカード１１５の記憶データを認識して、その記憶データの書込みや読出しが行える構成としてある。
【００２１】
なお、デジタルカメラ装置１００の内部メモリ１１４については、図２に示すように、画像データを記憶する画像ファイルエリアと、音楽情報を記憶する音楽情報ファイルエリアと、カメラ装置を作動させるプログラムデータを記憶するプログラムエリアとが用意してある。プログラムエリアには、デジタルカメラ装置１００を作動させるプログラムが記憶され、また音楽情報ファイルエリアには、ＢＧＭ用の音楽情報が記憶される。このＢＧＭ用の音楽情報については、上述したマイクロフォン１２１が拾った音声データを記憶させるフォーマットと同じフォーマットである、ＭＰＥＧ１方式のレイヤ２の音楽データ（オーディオデータ）として記憶させてあり、本例の場合、例えば、1曲当たりほぼ所定容量の音楽データが最大で4曲記録可能であるとする。記憶されたそれぞれの曲は、１曲が最大１８０秒の音楽データとしてある。また、それぞれの曲の先頭部分をフェードインさせ、最後の部分をフェードアウトさせた音楽データとして記憶させてもよい。また、本例においては、上記音楽情報ファイルエリアに記録される１音楽データの最大容量、または最大再生時間が設定されており、これに基づいて上記音楽情報ファイルエリアに記録可能な音楽データの数が予め設定されている。また、本カメラ装置の音楽データ復号化手段である音声再生処理部１２３にて復号化が可能な音楽データの符号化フォーマットが存在する。これら音楽データに関する設定情報として、音楽情報ファイルエリアには音楽データとは別に、該音楽情報ファイルエリアに記録される音楽データに関する設定データが予め記憶されている。
この設定データには、例えば、
１．該音楽情報ファイルエリアに記録可能な音楽データの数（例えば、曲数）
２．本カメラ装置にて復号化が可能である音楽データの符号化フォーマットの種類
３．本カメラ装置にて再生することが可能な1音楽データ当たりの最大容量
４．本カメラ装置にて再生することが可能な1音楽データ当たりの最大再生時間
５．本カメラ装置にて符号化された音楽データを再生する際に適したビットレート
などが含まれる。
【００２２】
次に、本例のデジタルカメラ装置１００に接続されるコンピュータ装置２００の構成について説明する。図１に示したコンピュータ装置２００は、パーソナルコンピュータ装置として一般的な構成を示したものである。即ち、コンピュータ装置２００は、各種演算処理や制御処理を行う制御部２０１と、ユーザが操作を行うキーボード２０２と、コンピュータ用ディスプレイで構成される表示部２０３と、各種プログラムやダウンロードした音楽データ，映像データなどを記憶（蓄積）するハードディスクドライブ部２０４と、データの演算処理などに使用するメモリであるＲＡＭ２０５と、周辺機器を接続するための外部インターフェイス部２０６と、インターネット９９に接続するための通信部２０７とを備える。例えばノート型のコンピュータ装置の場合、これらの各部は一体の筐体内に配置されるが、デスクトップ型のコンピュータ装置の場合には、キーボード２０２や表示部２０３は別体であるのが一般的である。
【００２３】
コンピュータ装置２００は、通信部２０７を介してインターネット９９への接続で、例えば音楽データサーバ９０にアクセスさせて、ユーザが所望の曲を、コンピュータ装置２００にダウンロードして、ハードディスクドライブ部２０４などに記憶させることができる。また、本例のハードディスクドライブ部２０４には、デジタルカメラ装置１００を管理するソフトウェアを記憶させてあり、必要により読み出して起動させることができる。
【００２４】
このデジタルカメラ装置１００を管理するソフトウェアでは、デジタルカメラ装置１００内のメモリ１１４の音楽情報ファイルエリアに記憶される、ＢＧＭ用の音楽情報の管理が行える。なお、このソフトウェアには、デジタルカメラ装置１００が工場出荷時に、内部メモリ１１４に記憶させた音楽情報ファイルエリアのデータと同じ音楽データが用意され、その音楽データを使用して、デジタルカメラ装置１００の音楽データを初期状態に戻すことが可能である。また、このソフトウェアでは、コンピュータ装置内のオーディオデータを、デジタルカメラ装置１００が扱うオーディオデータフォーマットである、ＭＰＥＧ１方式のレイヤ２のデータに変換する処理を行うソフトウェアが含まれている。
【００２５】
次に、図３のフローチャートを参照して、コンピュータ装置２００で起動された、デジタルカメラ装置１００を管理するソフトウェアによる処理で、ＢＧＭ用の音楽情報の管理を行う処理例について説明する。まず、図１に示すように、コンピュータ装置２００とデジタルカメラ装置１００とを、ＵＳＢ用のケーブルなどで直接接続した状態とした上で（ステップＳ１１）、該当するソフトウェアを起動させる（ステップＳ１２）。このソフトウェアが起動すると、デジタルカメラ装置１００の内部メモリ１１４の記憶データの認識処理を行う。この認識処理で、音楽情報ファイルエリア内に設定データ（図２）が存在するか否か判断し（ステップＳ１３）、音楽情報ファイルエリア内に設定データが存在しない場合には、コンピュータ装置２００の表示部２０３で、「音楽データを書き込めるデジタルカメラが存在しない」とのメッセージを表示させて、処理を終了させる（ステップＳ１９）。
【００２６】
そして、ステップＳ１４で音楽情報ファイルエリア内に設定データが存在すると判断された場合には、設定データの内容を、コンピュータ装置２００が確認する処理を行う（ステップＳ１４）。このとき、デジタルカメラ装置１００が再生できる音楽データのフォーマットなどについてコンピュータ装置２００で判断し、その判断したフォーマットの音楽データを、このコンピュータ装置２００が作成できるか否か判断する（ステップＳ１５）。ここで、作成ができないと判断した場合には、ステップＳ１９に移り、エラーメッセージを表示させる。
【００２７】
ステップＳ１５で、再生可能な音楽データの作成が可能である場合には、デジタルカメラ装置１００の内部メモリ１１４内の音楽情報ファイルエリアに記憶可能なＢＧＭ用の曲の数を上記設定データから取得した情報に基づいて、表示部２０３にＧＵＩ表示させる（ステップＳ１６）。
【００２８】
図４（ａ）は、この場合のＧＵＩ表示の例を示したものである。この例では、各曲を示す図形と、曲のタイトル（Ｍｕｓｉｃ１，Ｍｕｓｉｃ２，Ｍｕｓｉｃ３，Ｍｕｓｉｃ４）と、再生ボタン、音量調整ボリューム、曲の変更ボタン、曲の削除ボタン、全ての曲を初期状態に戻すボタンなどが用意してある。
【００２９】
このようなＧＵＩ表示を行った状態で、ユーザがキーボードなどを操作して、いずれかの曲の表示を選択して、再生ボタンを押すことで、該当する音楽データが内部メモリ１１４から読み出されて、コンピュータ装置２００に転送されて、コンピュータ装置２００内での音楽再生機能を利用して再生される。
【００３０】
図３のフローチャートの説明に戻ると、ステップＳ１６でのＧＵＩ表示で曲の変更が指定された場合に、コンピュータ装置２００内に蓄積された音楽データの一覧などを表示させて、ユーザに曲を選択させて、その選択された曲の音楽データを、デジタルカメラ装置１００で再生できる音楽データに変換するデータ作成処理が行われる（ステップＳ１７）。そして、作成された音楽データを、接続されたＵＳＢケーブルなどを使用してデジタルカメラ装置１００に転送し、カメラ装置１００の内部メモリ１１４の音楽情報ファイルの該当する曲の音楽データを書き換えさせる（ステップＳ１８）。
【００３１】
ステップＳ１７での音楽データの作成時には、フォーマットをＭＰＥＧ１方式のレイヤ２のデータに変換すると共に、ビットレートについてもデジタルカメラ装置に記憶させるのに適したレートのデータとし、さらに、曲の長さが１８０秒を越える場合には、先頭から１８０秒だけのデータとする。また、必要により先頭のフェードイン処理や末尾のフェードアウト処理を行う。上述の音楽データの作成時に必要となる諸情報については、ステップ１４にて取得した設定データに含まれる情報である。つまり、本ステップ１７にて行われる音楽データのフォーマット変換処理、デジタルカメラ装置に好適なビットレートの決定処理、1曲当たりの長さの判別処理については、それぞれ設定データに含まれる、デジタルカメラ装置にて復号化が可能である音楽データの符号化フォーマットの種類、デジタルカメラ装置に記録されるのに適したビットレート、デジタルカメラ装置にて再生することが可能な1音楽データ当たりの最大再生時間に関する情報に基づいて行われる。
【００３２】
図４（ｂ）は、曲の変更操作を行った場合の画面表示の例である。この例では、４曲の内の［Ｍｕｓｉｃ１］を選択して、変更する音楽データが記憶された場所（ファイル）内の音楽データの一覧（曲名及び時間）を表示させてある。変更する音楽データとしては、インターネットでダウンロードしたデータ、音楽ディスクから読み込んだデータなど、様々なデータが使用可能である。また、このときの表示では、「１８０秒より長い場合は、曲の後ろが削除されます」との警告メッセージを表示させてある。そして、表示された曲の中のいずれかの曲が選択されて、変更ボタンが押されるユーザ操作があると、［Ｍｕｓｉｃ１］のデータを、指定された曲とする変更処理が開始される。変更作業中には、図４（ｃ）に示すように、変更作業の実行状況を示す表示を表示部２０３に表示させる。
【００３３】
また、図４に示すＧＵＩ表示で、全ての曲を初期状態に戻すボタンが押された場合には、現在実行中のプログラムに用意された初期設定用の音楽データを、デジタルカメラ装置１００に送って、音楽データを初期状態に戻す処理が行われる。なお、音楽情報ファイルエリア内に記録された設定データは、デジタルカメラ装置１００内のメモリのプログラムエリアに記録された復元データを用いて復元することができる。
【００３４】
このようにしてＢＧＭ用の音楽データを、デジタルカメラ装置１００内のメモリに記憶させることができることで、ユーザが任意の曲をＢＧＭ用に設定でき、画像のスライドショー再生を行う際に、その設定した音楽が、ＢＧＭとしてスピーカ１２４から出力されるようになる。再生させる曲については、デジタルカメラ装置１００側での操作で選択可能である。例えば、図５（ａ）に示すように、各種設定を行うメニュー画面を、カメラ装置１００の表示部１１２表示させて、「ＢＧＭ設定」が選択されることで、図５（ｂ）に示すように、メモリ１１４内に用意された４曲の一覧表示となり、その状態でユーザが所望の曲を選択することで、該当する曲がＢＧＭとして出力されるように設定される。なお、１つの曲は最大で１８０秒であるが、スライドショー再生を１８０秒以上行う場合には、同じ曲を繰り返して再生させる。
【００３５】
ここまで説明した実施の形態では、デジタルカメラ装置１００のメモリ１１４内に用意される音楽情報ファイルの記憶エリアについては、固定された記憶容量としたが、コンピュータ装置２００側での操作で可変設定できるようにして、多数の曲や、長い曲を記憶できるようにしてもよい。或いは、ＢＧＭ用の曲が１曲だけよい場合には、音楽情報ファイルの記憶エリアを削減して、画像データなどが記憶できる容量を増やすようにしてもよい。
【００３６】
また、上述した実施の形態では、デジタルカメラ装置に記憶させた音楽データについては、スライドショー再生用のＢＧＭとして出力させる例について説明したが、その他の場合に出力させる音楽データとしてもよい。画像再生とは連動させずに、単に音楽再生だけを行うようにしてもよい。
【００３７】
また、上述した実施の形態では、コンピュータ装置からは端末装置であるデジタルカメラ装置内のメモリに記憶される設定データを識別して、音楽データを記録または書き換える処理を行うようにしたが、その他の端末装置内のメモリに記憶された各種データのフォーマットやデータ量、長さなどを外部装置から識別して、外部装置が書き換える際に、適合したフォーマットやデータ量、長さに変換して、書き込ませるようにしてもよい。外部装置としては、このようなデータ処理が可能な情報処理装置であれば、コンピュータ装置である必要はない。
【図面の簡単な説明】
【００３８】
【図１】本発明の一実施の形態によるシステム構成例を示す構成図である。
【図２】本発明の一実施の形態によるメモリのエリア構成例を示す説明図である。
【図３】本発明の一実施の形態による音楽データ転送処理例を示すフローチャートである。
【図４】本発明の一実施の形態によるコンピュータ装置のディスプレイでの表示例を示す説明図である。
【図５】本発明の一実施の形態によるカメラ装置の表示部での表示例を示す説明図である。
【符号の説明】
【００３９】
９０…音楽データサーバ、９９…インターネット、１００…デジタルカメラ装置、１０１…光学系、１０２…ＣＣＤイメージャ、１０３…撮像処理部、１０４…データ処理部、１１１…制御部、１１２…表示部、１１３…操作部、１１４…内部メモリ、１１５…メモリカード、１１６…外部インターフェイス部、１２１…マイクロフォン、１２２…音声入力処理部、１２３…音声再生処理部、１２４…スピーカ、２００…コンピュータ装置、２０１…制御部、２０２…キーボード、２０３…表示部、２０４…ハードディスクドライブ部、２０５…ＲＡＭ、２０６…外部インターフェイス部、２０７…通信部
【図１】
0004591283.tif 000002
【図２】
0004591283.tif 000003
【図３】
0004591283.tif 000004
【図４】
0004591283.tif 000005
【図５】
0004591283.tif 000006